【手続補正書】
【提出日】平成18年1月11日(2006.1.11)
【手続補正１】
【補正対象書類名】明細書
【補正対象項目名】発明の名称
【補正方法】変更
【補正の内容】
【発明の名称】インクジェット記録装置及びヘッド駆動制御装置、画像形成装置、液滴を吐出する装置
【手続補正２】
【補正対象書類名】明細書
【補正対象項目名】特許請求の範囲
【補正方法】変更
【補正の内容】
【特許請求の範囲】
【請求項１】
インク滴を吐出するノズルと、このノズルが連通する加圧室と、加圧室の壁面を形成する振動板と、この振動板に対向する電極とを有し、前記振動板を静電力で変位させてインク滴を吐出させる静電型インクジェットヘッドを搭載したインクジェット記録装置において、待機モードのチャンネルに印加する印加電圧値を０にすることを特徴とするインクジェット記録装置。
【請求項２】
インク滴を吐出するノズルと、このノズルが連通する加圧室と、加圧室の壁面を形成する振動板と、この振動板に対向する電極とを有し、前記振動板を静電力で変位させてインク滴を吐出させる静電型インクジェットヘッドを搭載したインクジェット記録装置において、待機モードのチャンネルの前記振動板を自由振動させることを特徴とするインクジェット記録装置。
【請求項３】
インク滴を吐出するノズルと、このノズルが連通する加圧室と、加圧室の壁面を形成する振動板と、この振動板に対向する電極とを有し、前記振動板を静電力で変位させてインク滴を吐出させる静電型インクジェットヘッドを搭載したインクジェット記録装置において、待機モードのチャンネルの前記振動板を前記加圧室の内圧変化と連動して振動させることを特徴とするインクジェット記録装置。
【請求項４】
請求項１乃至３のいずれかに記載のインクジェット記録装置において、前記静電型インクジェットヘッドは振動板と電極とが非平行状態で対向していることを特徴とするインクジェット記録装置。
【請求項５】
液滴を吐出するノズルと、このノズルが連通する加圧室と、加圧室の壁面を形成する振動板と、この振動板に対向する電極とを有し、前記振動板を静電力で変位させて液滴を吐出させる静電型液滴吐出ヘッドの駆動制御装置において、待機モードのチャンネルに電圧値が０の駆動波形を印加する手段を備えていることを特徴とするヘッド駆動制御装置。
【請求項６】
液滴を吐出するノズルと、このノズルが連通する加圧室と、加圧室の壁面を形成する振動板と、この振動板に対向する電極とを有し、前記振動板を静電力で変位させて液滴を吐出させる静電型液滴吐出ヘッドの駆動制御装置において、待機モードのチャンネルに対して前記振動板が自由振動可能な程度の電圧値の駆動波形を印加する手段を備えていることを特徴とするヘッド駆動制御装置。
【請求項７】
液滴を吐出するノズルと、このノズルが連通する加圧室と、加圧室の壁面を形成する振動板と、この振動板に対向する電極とを有し、前記振動板を静電力で変位させて液滴を吐出させる静電型液滴吐出ヘッドの駆動制御装置において、待機モードのチャンネルに対して前記振動板を前記加圧室の内圧変化と連動して振動させる駆動波形を印加する手段を備えていることを特徴とするヘッド駆動制御装置。
【請求項８】
請求項５乃至７に記載のヘッド駆動制御装置において、前記静電型インクジェットヘッドは振動板と電極とが非平行状態で対向していることを特徴とするヘッド駆動制御装置。
【請求項９】
液滴を吐出するノズルと、このノズルが連通する加圧室と、加圧室の壁面を形成する振動板と、この振動板に対向する電極とを有し、前記振動板を静電力で変位させて液滴を吐出させる静電型液滴吐出ヘッドを搭載した画像形成装置において、待機モードのチャンネルに印加する印加電圧値を０にすることを特徴とする画像形成装置。
【請求項１０】
液滴を吐出するノズルと、このノズルが連通する加圧室と、加圧室の壁面を形成する振動板と、この振動板に対向する電極とを有し、前記振動板を静電力で変位させて液滴を吐出させる静電型液滴吐出ヘッドを搭載した画像形成装置において、待機モードのチャンネルの前記振動板を自由振動させることを特徴とする画像形成装置。
【請求項１１】
液滴を吐出するノズルと、このノズルが連通する加圧室と、加圧室の壁面を形成する振動板と、この振動板に対向する電極とを有し、前記振動板を静電力で変位させて液滴を吐出させる静電型液滴吐出ヘッドを搭載した画像形成装置において、待機モードのチャンネルの前記振動板を前記加圧室の内圧変化と連動して振動させることを特徴とする画像形成装置。
【請求項１２】
液滴を吐出するノズルと、このノズルが連通する加圧室と、加圧室の壁面を形成する振動板と、この振動板に対向する電極とを有し、前記振動板を静電力で変位させて液滴を吐出させる静電型液滴吐出ヘッドを搭載した液滴を吐出する装置において、待機モードのチャンネルに印加する印加電圧値を０にすることを特徴とする液滴を吐出する装置。
【請求項１３】
液滴を吐出するノズルと、このノズルが連通する加圧室と、加圧室の壁面を形成する振動板と、この振動板に対向する電極とを有し、前記振動板を静電力で変位させて液滴を吐出させる静電型液滴吐出ヘッドを搭載した液滴を吐出する装置において、待機モードのチャンネルの前記振動板を自由振動させることを特徴とする液滴を吐出する装置。
【請求項１４】
液滴を吐出するノズルと、このノズルが連通する加圧室と、加圧室の壁面を形成する振動板と、この振動板に対向する電極とを有し、前記振動板を静電力で変位させて液滴を吐出させる静電型液滴吐出ヘッドを搭載した液滴を吐出する装置において、待機モードのチャンネルの前記振動板を前記加圧室の内圧変化と連動して振動させることを特徴とする液滴を吐出する装置。
【手続補正３】
【補正対象書類名】明細書
【補正対象項目名】０００１
【補正方法】変更
【補正の内容】
【０００１】
【産業上の利用分野】
本発明はインクジェット記録装置及びプリンタドライバ、画像形成装置、液滴を吐出する装置に関する。
【手続補正４】
【補正対象書類名】明細書
【補正対象項目名】０００７
【補正方法】変更
【補正の内容】
【０００７】
本発明は上記の課題に鑑みてなされたものであり、待機モードチャンネルの内圧変動を低減して画像品質を向上したインクジェット記録装置、画像形成装置、液滴を吐出する装置及び待機モードチャンネルの内圧変動を低減するヘッド駆動制御装置を提供することを目的とする。
【手続補正５】
【補正対象書類名】明細書
【補正対象項目名】００１５
【補正方法】変更
【補正の内容】
【００１５】
これらの請求項５乃至７の発明に係るヘッド駆動制御装置において、静電型インクジェットヘッドは振動板と電極とが非平行状態で対向していることが好ましい。
請求項９の画像形成装置、請求項１２の液滴を吐出する装置は、静電型液滴吐出ヘッドを搭載し、待機モードのチャンネルに印加する印加電圧値を０にする構成とした。
請求項１０の画像形成装置、請求項１３の液滴を吐出する装置は、静電型液滴吐出ヘッドを搭載し、待機モードのチャンネルの振動板を自由振動させる構成とした。
請求項１１の画像形成装置、請求項１４の液滴を吐出する装置は、静電型液滴吐出ヘッドを搭載し、待機モードのチャンネルの振動板を加圧室の内圧変化と連動して振動させる構成とした。
【手続補正６】
【補正対象書類名】明細書
【補正対象項目名】００１６
【補正方法】変更
【補正の内容】
【００１６】
【発明の実施の形態】
以下、本発明の実施形態について添付図面を参照して説明する。図１は本発明を適用する本発明に係る液滴を吐出する装置を含む、本発明に係る画像形成装置としてのインクジェット記録装置の機構部の概略斜視説明図、図２は同機構部の側面説明図である。
【手続補正７】
【補正対象書類名】明細書
【補正対象項目名】００８０
【補正方法】変更
【補正の内容】
【００８０】
なお、上記各実施形態においては、静電型インクジェットヘッドの振動板と電極の平面形状を矩形とした例で説明したが、平面形状を台形、三角形とすることもできる。また、上記各実施形態ではインクジェットヘッドは振動板と加圧室とを別部材で形成しているが、シリコン基板をエッチングして振動板と加圧室を形成するなど同一部材から形成することもできる。さらに、上記各実施形態はノズルは振動板の変位方向と直交する方向にインク滴が吐出するように形成したエッジシュータ方式のインクジェットヘッドであるが、ノズルを振動板の変位方向にインク滴が吐出するように形成したサイドシュータ方式のインクジェットヘッドの駆動制御にも同様に適用できる。さらにまた、液滴吐出ヘッドとしては例えば液体レジスト等を吐出するヘッドの駆動制御にも同様に適用できる。また、前述したようにプリンタ、ファクシミリ、プロッタ等の画像形成装置及び液滴を吐出する装置にも本発明に係る液滴吐出ヘッドを搭載することができる。
【手続補正８】
【補正対象書類名】明細書
【補正対象項目名】００８１
【補正方法】変更
【補正の内容】
【００８１】
【発明の効果】
以上説明したように、請求項１の発明に係るインクジェット記録装置、請求項９の画像形成装置、請求項１２の液滴を吐出する装置によれば、静電型ヘッドを搭載し、待機モードのチャンネルに印加する印加電圧値を０にする構成としたので、吐出特性が安定し、画像品質が向上する。
【手続補正９】
【補正対象書類名】明細書
【補正対象項目名】００８２
【補正方法】変更
【補正の内容】
【００８２】
請求項２の発明に係るインクジェット記録装置、請求項１０の画像形成装置、請求項１３の液滴を吐出する装置によれば、静電型ヘッドを搭載し、待機モードのチャンネルの振動板を自由振動させる構成としたので、吐出特性が安定し、画像品質が向上する。
【手続補正１０】
【補正対象書類名】明細書
【補正対象項目名】００８３
【補正方法】変更
【補正の内容】
【００８３】
請求項３の発明に係るインクジェット記録装置、請求項１１の画像形成装置、請求項１４の液滴を吐出する装置によれば、静電型ヘッドを搭載し、待機モードのチャンネルの振動板を加圧室の内圧変化と連動して振動させる構成としたので、吐出特性が安定し、画像品質が向上する。